(57)【要約】【課題】片足の前傾姿勢を安定できる作業用補助具を提供する。【解決手段】補助具１０は、中空の変形台１と空洞を有する擬似長靴体２を備える。変形台１の内部に空気を注入すると、変形台１を軸方向に膨張できる。変形台１の内部から空気を排出すると、変形台１を軸方向に収縮できる。擬似長靴体２は、変形台１の上部に結合され、周囲の一部が開口されている。擬似長靴体２には、足先から脛の一部に至る足の部位が装着できる。擬似長靴体２に片足を置いて、前方に力を加えると、ベローズ１１が湾曲して、片足（脛）を前傾することができる。補助具１０は、個人差に起因する腰部の負担が軽減でき、片足の前傾姿勢を安定できる。【選択図】図１
2011078479.tif 000002
【特許請求の範囲】
【請求項１】
流体が内部に注入されて軸方向に膨張可能な、又は内部から流体が排出されて軸方向に収縮可能な中空の変形台と、
この変形台の上部に結合され、周囲の一部が開口されて、足先から脛の一部に至る足の部位が装着可能な空洞を有する擬似長靴体と、を備える作業用補助具。
【請求項２】
前記擬似長靴体は、
足先から足首に至る足の部位を囲うシェル本体と、
このシェル本体と回動可能に連結するシェル胴部であって、足首から脛の一部に至る足の部位を囲うシェル胴部と、を有する請求項１記載の作業用補助具。
【請求項３】
前記変形台は可撓性を有し、前記擬似長靴体が前傾可能に湾曲する請求項１記載の作業用補助具。
【請求項４】
前記シェル胴部は、前記シェル本体に向かって傾動可能に構成している請求項２記載の作業用補助具。
【請求項５】
前記流体は、圧縮性流体を含んでいる請求項１から４のいずれかに記載の作業用補助具。
【発明の詳細な説明】
【技術分野】
【０００１】
本発明は、作業用補助具に関する。特に、キッチンなどで立った姿勢で調理（作業）するときに、腰の負担を軽減する作業用補助具の構造に関する。
【背景技術】
【０００２】
キッチンなどで立ち作業を長時間する場合には、片足を置ける高さ１５ｃｍ位の台（作業用補助具）を用意して、片足をこの台に置くようにすると、腰の負担を軽減できることが開示されている（例えば、非特許文献１参照）。そして、体重を支える片足に疲労を感じたときは、片足を替えることにより、持続的な立位作業に起因する腰痛を予防することができる。
【０００３】
長時間の立位を余儀なくされる作業としては、流し台での洗浄作業、又は調理台での調理作業が挙げられる。そして、このようなキッチン関連設備として、腰痛対策が付加された足置き体（作業用補助具）を備える流し台が開示されている（例えば、特許文献１参照）。
【０００４】
特許文献１による流し台は、シンクが取り付けられた天板と、この天板が載置固定されたキャビネットと、シンクの横の調理部が配設されている。そして、天板のシンクの前縁部に、前方に緩やかに湾曲して突出する「もたれ部」を形成すると共に、キャビネットの前面側下方であって、シンク及び「もたれ部」の下方に足置き体を出し入れ自在に配設して、腰痛を効果的に防止するように構成している。
【先行技術文献】
【特許文献】
【０００５】
【特許文献１】特開２００７−７０２９号公報
【非特許文献】
【０００６】
【非特許文献１】独立行政法人、労働者健康福祉機構、沖縄産業保健推進センター編、「腰痛のモトを断つ」、［平成２１年９月１日検索］、インターネット＜ＵＲＬ：ｈｔｔｐ：／／ｗｗｗ．ｓａｎｐｏ４７．ｊｐ＞
【発明の概要】
【発明が解決しようとする課題】
【０００７】
非特許文献１によれば、片足を置く台は、高さ１５ｃｍ位が好ましいとしている。しかし、足置き台の高さは、個人差があるので高さを調整できることが好ましい。特許文献１による流し台は、足置き台を出し入れ自在に配設しているので便利ではあるが、足置き台の高さを調整できないという問題がある。
【０００８】
又、足置き台に載せた片足（脛）を前傾することにより、腰部の負担や疲労が軽減することは知られている。しかし、特許文献１による流し台には、足置き台に載せた片足（脛）の前傾姿勢を支える補助具を設けていないので、片足（脛）の前傾姿勢が不安定になり、腰部にかかる負担が必ずしも軽減されないという問題がある。
【０００９】
足置き台の高さを調整でき、かつ、足置き台に載せた片足（脛）の前傾姿勢を支える作業用補助具が実現できれば、個人差に起因する腰部の負担が軽減でき、片足（脛）の前傾姿勢が安定でき、腰部にかかる負担を軽減することができる。そして、以上のことが本発明の課題といってよい。
【００１０】
本発明は、このような課題に鑑みてなされたものであり、個人差に起因する腰部の負担が軽減でき、片足（脛）の前傾姿勢を安定できる作業用補助具を提供することを目的とする。
【課題を解決するための手段】
【００１１】
本発明者らは、上記目的を達成するため、軸方向に膨張又は収縮可能な可逆的な変形台とこの変形台に結合した擬似長靴体とで作業用補助具を構成することにより、これらの課題が解決可能なことを見出し、これに基づいて、以下のような新たな作業用補助具を発明するに至った。
【００１２】
（１）本発明による作業用補助具は、流体が内部に注入されて軸方向に膨張可能な、又は内部から流体が排出されて軸方向に収縮可能な中空の変形台と、この変形台の上部に結合され、周囲の一部が開口されて、足先から脛の一部に至る足の部位が装着可能な空洞を有する擬似長靴体と、を備える作業用補助具。
【００１３】
（２）前記擬似長靴体は、足先から足首に至る足の部位を囲うシェル本体と、このシェル本体と回動可能に連結するシェル胴部であって、足首から脛の一部に至る足の部位を囲うシェル胴部と、を有することが好ましい。
【００１４】
（３）前記変形台は可撓性を有し、前記擬似長靴体が前傾可能に湾曲することが好ましい。
【００１５】
（４）前記シェル胴部は、前記シェル本体に向かって傾動可能に構成していることが好ましい。
【００１６】
（５）前記流体は、圧縮性流体を含んでいることが好ましい。
【発明の効果】
【００１７】
本発明の第１実施形態による作業用補助具は、変形台の内部に流体を注入して、又は変形台の内部から流体を排出して、変形台の高さを調整できる。そして、擬似長靴体に片足を置いて前傾することもできる。本発明による作業用補助具は、個人差に起因する腰部の負担が軽減でき、片足の前傾姿勢を安定できる。
【００１８】
又、本発明の第２実施形態による作業用補助具は、変形台の内部に流体を注入して、又は変形台の内部から流体を排出して、変形台の高さを調整できる。そして、擬似長靴体に片足を置いて前傾することもできる。本発明による作業用補助具は、個人差に起因する腰部の負担が軽減でき、片足の前傾姿勢を安定できる。
【図面の簡単な説明】
【００１９】
【図１】本発明の第１実施形態による作業用補助具の構成を示す斜視図である。
【図２】前記第１実施形態による作業用補助具の構成を示す縦断面図である。
【図３】本発明の第２実施形態による作業用補助具の構成を示す斜視図である。
【図４】前記第２実施形態による作業用補助具の構成を示す縦断面図である。
【図５】前記第２実施形態による作業用補助具の平面図である。
【発明を実施するための形態】
【００２０】
以下、図面を参照して本発明を実施するための形態を説明する。
【００２１】
［第１実施形態］
（第１実施形態の構成）
最初に、本発明の第１実施形態による作業用補助具の構成を説明する。図１は、本発明の第１実施形態による作業用補助具の構成を示す斜視図である。図２は、前記第１実施形態による作業用補助具の構成を示す縦断面図である。
【００２２】
図１又は図２を参照すると、本発明の第１実施形態による作業用補助具（以下、補助具と略称する）１０は、中空の変形台１と空洞を有する擬似長靴体２を備えている。変形台１は、可撓性を有するベローズ１１と略円形の基板１２を備えている。
【００２３】
擬似長靴体２は、ベローズ１１の上部に結合されている。擬似長靴体２は、周囲の一部が開口されている。擬似長靴体２には、作業者の足先から脛の一部に至る足の部位を装着することができる。
【００２４】
ベローズ１１は、開口された基端部１ａが基板１２の一方の面に溶接で固定され、密封されている。又、ベローズ１１は、先端部１ｂが閉塞されている。つまり、変形台１は、密封体となっている。
【００２５】
ベローズ１１の先端部１ｂには、バルブ１３を設けている。バルブ１３にポンプ（図示せず）を接続して、変形台１の内部に空気（圧縮性流体）を注入すると、ベローズ１１を軸方向に膨張させることができる。そして、バルブ１３を閉じて、変形台１の膨張状態を維持できる。
【００２６】
一方、バルブ１３を開放して、変形台１の内部の圧縮空気を排出すると、ベローズ１１を初期の状態に復帰することができる。バルブ１３を開放した状態で、ベローズ１１に荷重を付与すると、ベローズ１１を軸方向に収縮させることができる。そして、バルブ１３を閉じて、変形台１の収縮状態を維持できる。
【００２７】
基板１２の底部には、摩擦係数の大きいゴムシート１４を貼り付けている。これにより、補助具１０を床面に設置したときに、補助具１０に働く略水平方向の力に対して、床面との滑りを防止することができる。
【００２８】
擬似長靴体２は、シェル本体２１とシェル胴部２２が一体に成形されている。シェル本体２１は、足先から足首に至る足の部位を囲っている。シェル胴部２２は、足首から脛の一部に至る足の部位を囲っている。
【００２９】
擬似長靴体２は、剛性を有する比較的硬質の合成樹脂からなることが好ましい。シェル胴部２２の上部の内側には、脛を保護するための緩衝部材２ａを貼着している。
【００３０】
（第１実施形態の作用）
次に、第１実施形態による補助具１０の作用及び効果を説明する。
【００３１】
第１実施形態による補助具１０は、変形台１の内部に空気を注入して、又は変形台１の内部から空気を排出して、擬似長靴体２の底面２１ａから床面に至る高さＨを調整できる（図２参照）。
【００３２】
このように、第１実施形態による補助具１０は、いわゆる足置き台の高さを予め調整できるので、個人差に起因する腰部の負担を軽減できる。
【００３３】
又、第１実施形態による補助具１０は、擬似長靴体２に片足を置いて、前方に力を加えると、ベローズ１１が湾曲して、片足（脛）を前傾することができる。ここで、ベローズ１１には、曲げ応力が作用し、ベローズ１１の一方の端面（足先側）が圧縮され、ベローズ１１の他方の端面（足首側）が伸長される。第１実施形態による補助具１０は、擬似長靴体２の前方に加える力とベローズ１１の反力が拮抗して、ベローズ１１の湾曲状態を維持しているので、片足（脛）の前傾姿勢が安定する。したがって、腰部にかかる負担を軽減することができる。
【００３４】
更に、第１実施形態による補助具１０は、擬似長靴体２の周囲の一部が開口されているので、体重を支える片足に疲労を感じたときは、片足を替えることが容易であるというメリットもある。
【００３５】
変形台１を軸方に変形させる流体は、空気などの圧縮性流体に限定されない。前記流体は、水などの非圧縮性流体でもよく、圧縮性流体と同様の効果を得ることができる。
【００３６】
［第２実施形態］
（第２実施形態の構成）
次に、本発明の第２実施形態による作業用補助具の構成を説明する。図３は、本発明の第２実施形態による作業用補助具の構成を示す斜視図である。図４は、前記第２実施形態による作業用補助具の構成を示す縦断面図である。図５は、前記第２実施形態による作業用補助具の平面図である。
【００３７】
図３から図５を参照すると、本発明の第２実施形態による補助具２０は、中空の変形台３と空洞を有する擬似長靴体４を備えている。変形台３は、ベローズ３１と略円形の基板３２を備えている。
【００３８】
擬似長靴体４は、ベローズ３１の上部に結合されている。擬似長靴体４は、周囲の一部が開口されている。擬似長靴体４には、作業者の足先から脛の一部に至る足の部位を装着することができる。
【００３９】
ベローズ３１は、開口された基端部３ａが基板３２の一方の面に溶接で固定され、密封されている。又、ベローズ３１は、先端部３ｂが閉塞されている。つまり、変形台３は、密封体となっている。
【００４０】
ベローズ３１の先端部３ｂには、バルブ３３を設けている。バルブ３３にポンプ（図示せず）を接続して、変形台３の内部に空気（圧縮性流体）を注入すると、ベローズ３１を軸方向に膨張させることができる。そして、バルブ３３を閉じて、変形台３の膨張状態を維持できる。
【００４１】
一方、バルブ３３を開放すると、変形台３の内部の圧縮空気を排出すると、ベローズ３１を初期の状態に復帰することができる。バルブ３３を開放した状態で、ベローズ３１に荷重を付与すると、ベローズ３１を軸方向に収縮させることができる。そして、バルブ３３を閉じて、変形台３の収縮状態を維持できる。
【００４２】
基板３２の底部には、摩擦係数の大きいゴムシート３４を貼り付けている。これにより、補助具２０を床面に設置したときに、補助具２０に働く略水平方向の力に対して、床面との滑りを防止することができる。
【００４３】
擬似長靴体４は、シェル本体４１とシェル胴部４２とで構成している。シェル本体４１は、足先から足首に至る足の部位を囲っている。シェル胴部４２は、足首から脛の一部に至る足の部位を囲っている。そして、シェル胴部４２は、一対の係止ピン４３・４３でシェル本体４１と回動可能に連結している。
【００４４】
シェル本体４１及びシェル胴部４２は、剛性を有する比較的硬質の合成樹脂から成形されることが好ましい。シェル胴部４２の上部の内側には、脛を保護するための緩衝部材４ａを貼着している。
【００４５】
（第２実施形態の作用）
第２実施形態による補助具２０によれば、第１実施形態による補助具１０と同様の作用及び効果を有する他に、以下のとおりの作用及び効果を有している。
【００４６】
第２実施形態による補助具２０は、擬似長靴体４に片足を置いて、片足（脛）を前傾すると、シェル胴部４２がシェル本体４１に向かって傾動できる。そして、シェル胴部４２の下縁がシェル本体４１の外壁に当接して、シェル胴部４２を停止できる。
【００４７】
第２実施形態による補助具２０は、片足（脛）の前傾姿勢が安定するように、シェル本体４１とシェル胴部４２を屈折自在に構成しているので、腰部にかかる負担を軽減することができる。
【００４８】
本発明は、高さが調整可能な変形台に片足を置いて前傾することにより、腰部の負担が軽減できる作業用補助具を開示したが、本発明の実施形態による作業用補助具は、単体で使用されることに限定されない。
【００４９】
本発明の実施形態による作業用補助具は、一対で用いられてもよく、腹部を作業台に押し当てて、前傾姿勢を伴う作業において、一対の作業用補助具が両足の脛部を支えることにより、腰痛の予防に有効となる。
【符号の説明】
【００５０】
１・３  変形台
２・４  擬似長靴体
１０・２０  補助具（作業用補助具）
１１・３１  ベローズ
１２・３２  基板
２１・４１  シェル本体
２２・４２  シェル胴部
【図１】
2011078479.tif 000003
【図２】
2011078479.tif 000004
【図３】
2011078479.tif 000005
【図４】
2011078479.tif 000006
【図５】
2011078479.tif 000007